(57)【要約】【課題】コンテンツデータを記憶している装置に対し音声に重畳した情報を用いてアクセスする仕組みにおいて、そのアクセスの時間的な集中を抑制する。【解決手段】放送局２０は、コンテンツデータを取得するための取得用ＩＤを放送波に重畳する。通信端末１０は、テレビ３０から放音される音声からこの取得用ＩＤを抽出し、管理装置５０から取得用ＩＤに対応する時刻情報、アドレス情報、及び事前配布用ＩＤを取得する。通信端末１０は、時刻情報が示す時刻が到来すると、アドレス情報に基づいてコンテンツデータを取得して記憶する。放送局２０は、コンテンツデータを出力するべきタイミングで、コンテンツデータの出力用ＩＤを放送波に重畳して放送する。通信端末１０は、テレビ３０から放音される音声から、この出力用ＩＤを抽出すると、この出力用ＩＤと同じコンテンツ識別部分を含む事前配布用ＩＤに対応付けて記憶しているコンテンツデータを出力する。【選択図】図１
2015111771.tif 000002
【特許請求の範囲】
【請求項１】
コンテンツデータを識別する識別情報が重畳された音声を放音する放音装置と、
前記識別情報を受信して、当該識別情報によって識別されるコンテンツデータを通信ネットワークを介して取得するためのアドレス情報と、当該コンテンツデータを取得する時刻を表す時刻情報とを特定する管理装置と、
前記放音装置が放音した音声を収音する収音手段と、収音された音声から前記識別情報を抽出する抽出手段と、抽出した前記識別情報を前記通信ネットワークを介して前記管理装置に送信して当該管理装置から前記アドレス情報及び前記時刻情報を取得する取得手段と、取得した前記時刻情報が表す時刻に前記アドレス情報を用いて、前記通信ネットワークを介して前記コンテンツデータを取得するコンテンツデータ取得手段と、取得した前記コンテンツデータを記憶するコンテンツデータ記憶手段と、前記コンテンツデータの出力を指示する指示情報が重畳された音声が前記収音手段によって収音された場合に、前記コンテンツデータ記憶手段に記憶されている当該コンテンツデータを出力する出力手段とを備えた通信端末と
を備える情報提供システム。
【請求項２】
前記通信端末において、
前記指示情報により出力が指示されたコンテンツデータが前記コンテンツデータ記憶手段に記憶されていない場合には、
前記取得手段が、抽出された指示情報を前記管理装置に送信して前記アドレス情報を取得し、
前記コンテンツデータ取得手段が、取得した前記アドレス情報を用いて前記コンテンツデータを取得する
請求項１に記載の情報提供システム。
【請求項３】
前記放音装置は放送を受信する放送受信装置であり、当該放音装置から放音される前記音声は、放送される番組または宣伝広告に含まれる音声であり、
前記管理装置は、前記識別情報に基づき、前記番組または前記宣伝広告に関するコンテンツデータが格納されている記憶領域のアドレス情報を特定する
請求項１または２に記載の情報提供システム。
【請求項４】
前記時刻情報は時間の範囲を表す情報であり、
前記コンテンツデータ取得手段は、前記時刻情報が表す時間の範囲内でコンテンツデータを取得する時刻を特定し、特定した時刻に前記アドレス情報を用いて前記コンテンツデータを取得する
請求項１〜３のいずれか１項に記載の情報提供システム。
【請求項５】
コンテンツデータを識別するための識別情報が重畳された音声を収音する収音手段と、
収音された前記音声から前記識別情報を抽出する抽出手段と、
抽出した前記識別情報を通信ネットワークを介して送信して、送信された前記識別情報によって特定された、当該識別情報によって識別されるコンテンツデータを前記通信ネットワークを介して取得するためのアドレス情報、及び、当該コンテンツデータを取得する時刻を表す時刻情報を取得する取得手段と、
取得した前記時刻情報が表す時刻に前記アドレス情報を用いて、前記通信ネットワークを介して前記コンテンツデータを取得するコンテンツデータ取得手段と、
取得した前記コンテンツデータを記憶するコンテンツデータ記憶手段と、
前記コンテンツデータの出力を指示する指示情報が重畳された音声が前記収音手段によって収音された場合に、前記コンテンツデータ記憶手段に記憶されている当該コンテンツデータを出力する出力手段と
を備える通信端末。
【請求項６】
コンテンツデータを識別するための識別情報が通信端末から通信ネットワークを介して送信されてくると、当該識別情報によって識別されるコンテンツデータを通信ネットワークを介して取得するためのアドレス情報と、当該コンテンツデータを取得する時刻を表す時刻情報とを特定し、当該アドレス情報及び当該時刻情報を前記通信端末に送信する管理装置。
【発明の詳細な説明】
【技術分野】
【０００１】
本発明は、音声を用いて各種の情報を提供する技術に関する。
【背景技術】
【０００２】
音声を用いて情報を提供するシステムとして、例えば特許文献１，２に記載されたものがある。これらの文献１，２に記載された発明では、コンテンツデータに対応するＩＤを音声に重畳して放音し、通信端末がこの音声から抽出したＩＤを利用してコンテンツデータを取得するというものである。
【先行技術文献】
【特許文献】
【０００３】
【特許文献１】特開２０１２−１５５７０６号公報
【特許文献２】特開２０１２−２２７９０９号公報
【発明の概要】
【発明が解決しようとする課題】
【０００４】
特許文献１，２では、例えばテレビジョン放送される番組に関連したコンテンツデータに対応するＩＤをその放送の音声に重畳しているから、多くの通信端末がＩＤを取得した時点でいっせいにコンテンツ配信装置にアクセスするというように、同時刻に大量のアクセスが集中する。これにより、通信ネットワーク上のトラヒックが増大するほか、コンテンツ配信装置における処理の負荷が大きくなってしまい、結果として、通信端末においてコンテンツデータを出力するまでに要する時間が長くなってしまう虞がある。
【０００５】
そこで、本発明は、コンテンツデータを記憶している装置に対し音声に重畳した情報を用いてアクセスする仕組みにおいて、そのアクセスの時間的な集中を抑制することを目的とする。
【課題を解決するための手段】
【０００６】
上記課題を解決するため、本発明は、コンテンツデータを識別する識別情報が重畳された音声を放音する放音装置と、前記識別情報を受信して、当該識別情報によって識別されるコンテンツデータを通信ネットワークを介して取得するためのアドレス情報と、当該コンテンツデータを取得する時刻を表す時刻情報とを特定する管理装置と、前記放音装置が放音した音声を収音する収音手段と、収音された音声から前記識別情報を抽出する抽出手段と、抽出した前記識別情報を前記通信ネットワークを介して前記管理装置に送信して当該管理装置から前記アドレス情報及び前記時刻情報を取得する取得手段と、取得した前記時刻情報が表す時刻に前記アドレス情報を用いて、前記通信ネットワークを介して前記コンテンツデータを取得するコンテンツデータ取得手段と、取得した前記コンテンツデータを記憶するコンテンツデータ記憶手段と、前記コンテンツデータの出力を指示する指示情報が重畳された音声が前記収音手段によって収音された場合に、前記コンテンツデータ記憶手段に記憶されている当該コンテンツデータを出力する出力手段とを備えた通信端末とを備える情報提供システムを提供する。
【０００７】
前記通信端末において、前記指示情報により出力が指示されたコンテンツデータが前記コンテンツデータ記憶手段に記憶されていない場合には、前記取得手段が、抽出された指示情報を前記管理装置に送信して前記アドレス情報を取得し、前記コンテンツデータ取得手段が、取得した前記アドレス情報を用いて前記コンテンツデータを取得するようにしてもよい。
【０００８】
前記放音装置は放送を受信する放送受信装置であり、当該放音装置から放音される前記音声は、放送される番組または宣伝広告に含まれる音声であり、前記管理装置は、前記識別情報に基づき、前記番組または前記宣伝広告に関するコンテンツデータが格納されている記憶領域のアドレス情報を特定するようにしてもよい。
【０００９】
前記時刻情報は時間の範囲を表す情報であり、前記コンテンツデータ取得手段は、前記時刻情報が表す時間の範囲内でコンテンツデータを取得する時刻を特定し、特定した時刻に前記アドレス情報を用いて前記コンテンツデータを取得するようにしてもよい。
【００１０】
また、本発明は、コンテンツデータを識別するための識別情報が重畳された音声を収音する収音手段と、収音された前記音声から前記識別情報を抽出する抽出手段と、抽出した前記識別情報を通信ネットワークを介して送信して、送信された前記識別情報によって特定された、当該識別情報によって識別されるコンテンツデータを前記通信ネットワークを介して取得するためのアドレス情報、及び、当該コンテンツデータを取得する時刻を表す時刻情報を取得する取得手段と、取得した前記時刻情報が表す時刻に前記アドレス情報を用いて、前記通信ネットワークを介して前記コンテンツデータを取得するコンテンツデータ取得手段と、取得した前記コンテンツデータを記憶するコンテンツデータ記憶手段と、前記コンテンツデータの出力を指示する指示情報が重畳された音声が前記収音手段によって収音された場合に、前記コンテンツデータ記憶手段に記憶されている当該コンテンツデータを出力する出力手段とを備える通信端末を提供する。
【００１１】
また、本発明は、コンテンツデータを識別するための識別情報が通信端末から通信ネットワークを介して送信されてくると、当該識別情報によって識別されるコンテンツデータを通信ネットワークを介して取得するためのアドレス情報と、当該コンテンツデータを取得する時刻を表す時刻情報とを特定し、当該アドレス情報及び当該時刻情報を前記通信端末に送信する管理装置を提供する。
【発明の効果】
【００１２】
本発明によれば、コンテンツデータを記憶している装置に対し音声に重畳した情報を用いてアクセスする仕組みにおいて、そのアクセスの時間的な集中を抑制することが可能になる。
【図面の簡単な説明】
【００１３】
【図１】本発明の実施形態に係る情報提供システムの構成を示すブロック図
【図２】情報提供システムの機能を示すブロック図
【図３】通信端末のハードウェア構成を示すブロック図
【図４】管理装置のハードウェア構成を示すブロック図
【図５】管理装置が記憶する管理テーブルの一例を示す図
【図６】通信端末の処理を示すフローチャート
【図７】通信端末の処理を示すフローチャート
【発明を実施するための形態】
【００１４】
＜構成＞
図１は、本発明の一実施形態に係る情報提供システム１の全体構成を示すブロック図である。この情報提供システム１は、通信端末１０と、放送局２０と、テレビジョン放送受像機３０と、通信ネットワーク４０と、管理装置５０と、コンテンツ配信装置６０とを備えている。なお、情報提供システム１においては、複数の通信端末１０を備えるが、図１では図示を省略する。なお、テレビジョン放送受像機３０のことを、以下ではテレビ３０と略称する。
【００１５】
通信ネットワーク４０は、インターネット等の有線ネットワークのほか、いわゆる３ＧやＩＭＴ−２０００（International Mobile Telecommunications-2000）或いは無線ＬＡＮ（Local Area Network）と呼ばれる通信規格に従って通信端末１０に通信サービスを提供する無線ネットワークを含む。管理装置５０及びコンテンツ配信装置６０はそれぞれ、専用線または他の通信ネットワークを介して通信ネットワーク４０に接続されている。通信端末１０は、通信ネットワーク４０を利用して通信を行う通信端末であり、それぞれ異なるユーザによって利用される。本実施形態では、通信端末１０が通話及びデータ通信を行うことが可能な、いわゆるスマートホンである場合を例に挙げて説明を行う。ただし、本発明における通信端末は、スマートホンに限定されない。例えば、携帯電話機やタブレット端末、ＰＤＡ（Personal Digital Assistant）、モバイルコンピュータ、ゲーム機、セットトップボックスなど、ユーザが操作することが可能な各種の端末を本発明の通信端末として用いることができる。
【００１６】
放送局２０は、地上デジタルテレビジョン放送を行う。テレビ３０は、放送局２０から放送波を受信し、この放送波をデコードし、映像と音声からなる番組や広告宣伝を出力する。このテレビ３０は本発明における放音装置の一例である。
【００１７】
コンテンツ配信装置６０は、放送局２０から放送される番組または広告宣伝に関連する各種コンテンツを表すコンテンツデータを記憶したコンピュータである。コンテンツ配信装置６０は、通信端末１０からのアクセスに応じて、その通信端末１０にコンテンツデータを送信する。
【００１８】
管理装置５０は、コンテンツ配信装置６０においてコンテンツデータが格納されている記憶領域のアドレス情報（通信ネットワーク４０における位置を示す情報）を管理しているコンピュータである。このアドレス情報は、通信端末１０がコンテンツデータにアクセスするための情報であり、本実施形態では、インターネット上のアドレス情報として用いられているＵＲＩ（Uniform Resource Identifier）である。
【００１９】
情報提供システム１は、放送局２０から放送された番組や広告宣伝（以下、番組等という）に関連した情報を掲載するＷｅｂページへユーザを誘導する目的で用いられる。番組等に関連した情報とは、番組の出演者やその番組制作に関する情報、或いは、広告宣伝する商品またはサービスに関する情報などである。一例を挙げると、これらの情報は、番組等の出演者が着用している衣服とか、番組等で出演者が訪れている観光地や店舗、あるいは、広告宣伝されている商品やサービスなどである。また、情報提供システム１は、スポーツ番組の放送であれば、スポーツ競技に参加している選手の情報を表示するためのＷｅｂページへ誘導するとか、ＴＶショッピング番組の放送であれば、紹介された商品の注文や決済を行うＷｅｂページへ誘導するという目的にも利用される。以上の各種Ｗｅｂページが、コンテンツ配信装置６０に記憶されているコンテンツデータに相当する。
【００２０】
情報提供システム１の概要は次のとおりである。まず、通信端末１０は、放送局２０が放送する番組等に関連したコンテンツデータを、その番組等が実際に放送される前に予め取得して記憶しておく。そして、その番組等が実際に放送されるときに、通信端末１０は、その番組等の放送波に重畳された識別情報（後述する、コンテンツデータの出力時刻を指示するための出力用ＩＤ）を契機として、記憶しておいたコンテンツデータを出力する。以下、図２を参照しながらより具体的に説明する。
【００２１】
まず、番組の放送前には情報提供システム１において次のような処理が行われる。放送局２０は、コンテンツデータを取得するための取得用ＩＤ（Identification、識別情報）を、そのコンテンツデータが関連する番組等の放送前に放送波に重畳して放送する。取得用ＩＤとは、通信端末１０がコンテンツデータを取得するために用いられるものであり、コンテンツデータを識別する識別情報である。取得用ＩＤを重畳した放送がなされる時刻は、コンテンツデータの出力時刻を指示するための出力用ＩＤを重畳した番組等の放送よりも前の時刻であればいつでもよいが、例えばその番組等の放送の冒頭の時間帯に含まれる任意の時刻とか、その番組等の放送直前にある他の番組等の放送時間帯に含まれる任意の時刻などである。また、番組等が毎週定時に放送されるものであれば、前週の番組等の放送時間帯に含まれる任意の時刻であってもよい。
【００２２】
通信端末１０においては、放音装置としてのテレビ３０から放送波に基づき放音される音声を収音手段１０１が収音し、抽出手段１０２がこの音声から取得用ＩＤを抽出する。このように音声に重畳した情報を遣り取りすることを音声通信という。次に、取得手段１０３が、抽出手段１０２によって抽出された取得用ＩＤを管理装置５０に送信し、この送信に応じて管理装置５０から返信されてくる時刻情報、アドレス情報及び事前配布用ＩＤを取得する。時刻情報とは、コンテンツデータにアクセスしてこれを取得する時刻を表す情報である。アドレス情報とは、コンテンツデータにアクセスするためのアドレス情報であり、前述したように、ここではＵＲＩである。コンテンツデータを記憶したコンテンツ配信装置６０に対する同時アクセスを回避するため、時刻情報が表す時刻は、或る時間幅（取得用ＩＤを重畳した放送の時点から出力用ＩＤを重畳した番組等の放送がされるまでの間）の任意の時刻に分散して設定される。また、事前配布用ＩＤは、通信端末１０においてコンテンツデータを出力するか否かを判断するために、出力用ＩＤと比較される情報である。そして、コンテンツデータ取得手段１０４は、時刻情報が示す時刻が経過すると、取得手段１０３によって取得済みのアドレス情報に基づいてコンテンツ配信装置６０にアクセスしてコンテンツデータを取得する。コンテンツデータ記憶手段１０５は、取得したコンテンツデータを事前配布用ＩＤと対応付けて記憶する。
【００２３】
次に、番組放送時の情報提供システム１の処理は次のとおりである。放送局２０は、通信端末１０が記憶しているコンテンツデータに関連する番組等を実際に放送する時刻、つまり事前に配布しておいたコンテンツデータを実際に出力するべきタイミングになると、コンテンツデータの出力を指示する出力用ＩＤを放送波に重畳して放送する。この出力用ＩＤは、番組の放送前に通信端末１０が取得して記憶している事前配布用ＩＤと同じものである。通信端末１０の収音手段１０１は、出力用ＩＤが重畳された放送波に基づきテレビ３０から放音される音声を収音し、抽出手段１０２がこの音声から出力用ＩＤを抽出する。そして、出力手段１０６は、抽出した出力用ＩＤと一致する事前配布用ＩＤに対応付けて記憶しているコンテンツデータをコンテンツデータ記憶手段１０５から読み出して出力する。
【００２４】
図２に示した通信部の各機能（収音手段１０１、抽出手段１０２、取得手段１０３、コンテンツデータ取得手段１０４、コンテンツデータ記憶手段１０５及び出力手段１０６）は、ハードウェア及びソフトウェアの協働により実現されてもよいし、ハードウェアによって実現されてもよい。
【００２５】
このようにすれば、放送局２０から放送される番組等に関連したコンテンツデータを、その番組等の放送中にユーザに提供することができる。ユーザは、通信端末１０を携帯してテレビ放送を視聴していれば、何らの操作をしなくてもコンテンツデータを取得できる。また、時刻情報は或る時間幅の中で分散して設定されるので、多くの通信端末１０によるコンテンツ配信装置６０へのアクセス集中が緩和される。また、コンテンツデータは事前に通信端末１０に記憶されているので、通信端末１０においてコンテンツデータを出力すべきタイミングが到来したときには、コンテンツ配信装置６０に実際にアクセスする必要がない。即ち、実際の放送時には、コンテンツ配信装置６０に対するアクセスの集中が発生することがない。また、音声伝送経路上にノイズが発生している場合であっても、取得用ＩＤや出力用ＩＤを繰り返して送信することにより、ノイズが発生していないときにテレビ３０及び通信端末１０間の音声通信を確立することで、通信端末１０にデータを送信することができる。
【００２６】
図３は、通信端末１０のハードウェア構成を示すブロック図である。通信端末１０は、制御部１１と、通信部１２と、操作部１３と、表示部１４と、音声入出力部１５と、記憶部１６とを備えたコンピュータである。制御部１１は、ＣＰＵなどの演算装置と、ＲＯＭ（Read Only Memory）及びＲＡＭ（Random Access Memory）などの記憶装置とを備えている。記憶部１６は、例えばＥＥＰＲＯＭ（Electronically Erasable and Programmable ROM）やフラッシュメモリなどの記憶手段である。ＣＰＵは、ＲＡＭをワークエリアとして用いて、ＲＯＭや記憶部１６に記憶されたプログラムを実行することによって、通信端末１０の各部の動作を制御する。通信部１２は、アンテナや通信回路を備えており、通信ネットワーク４０を介して管理装置５０やコンテンツ配信装置６０と通信を行う通信手段である。操作部１３は、キーやタッチセンサなどの操作子を備えた操作手段であり、利用者の操作に応じた操作信号を制御部１１に供給する。制御部１１は、この操作信号に応じた処理を行う。表示部１４は、液晶パネルや液晶駆動回路を備えた表示手段であり、制御部１１による制御の下で画像を表示する。音声入出力部１５は、スピーカ、マイクロホン及び音声処理回路（図示略）を備えており、音声の入出力を行う。
【００２７】
図２に示した収音手段１０１は、音声入出力部１５のマイクロホンによって実現される。抽出手段１０２は、制御部１１がプログラムを実行することによって実現される。取得手段１０３及びコンテンツデータ取得手段１０４は、制御部１１がプログラムを実行して通信部１２と協働することによって実現される。コンテンツデータ記憶手段１０５は、制御部１１がプログラムを実行して記憶部１６と協働することによって実現される。出力手段１０６は、制御部１１がプログラムを実行して表示部１４と協働することによって実現される。
【００２８】
図４は、管理装置５０のハードウェア構成を示すブロック図である。管理装置５０は、制御部５１と、通信部５２と、記憶部５３とを備えたコンピュータである。制御部５１は、ＣＰＵ（Central Processing Unit）等の演算装置と、ＲＯＭ（Read Only Memory）及びＲＡＭ（Random Access Memory）などの記憶装置とを備えている。記憶部５３は、例えばハードディスク等の大容量で不揮発性の記憶手段である。ＣＰＵは、ＲＡＭをワークエリアとして用いて、ＲＯＭや記憶部５３に記憶されたプログラムを実行することによって、管理装置５０の各部の動作を制御する。通信部５２は、通信回路を備えており、通信ネットワーク４０を介して通信端末１０と通信を行う通信手段である。
【００２９】
記憶部５３は、制御部５１が用いるプログラム群のほか、図５に示す管理テーブルを記憶している。この管理テーブルにおいては、それぞれのコンテンツデータ単位で、前述した取得用ＩＤ、事前配布用ＩＤ、時刻情報及びアドレス情報が対応付けられている。取得用ＩＤと事前配布用ＩＤはそれぞれ、コンテンツデータを識別する文字列（図５では４桁の数字列の部分）を含むほか、そのＩＤが取得用ＩＤであるのか又は事前配布用ＩＤであるのかを識別する文字列（図５では「Ｄ」または「Ｐ」の英字列の部分）を含んでいる。また、前述した出力用ＩＤの構造も、取得用ＩＤ及び事前配布用ＩＤと同じである。つまり、出力用ＩＤは、コンテンツデータを識別する文字列（以下、コンテンツ識別部分という）と、ＩＤが出力用ＩＤであることを識別する文字列（本実施形態では「Ｓ」）からなる。なお、取得用ＩＤまたは出力用ＩＤは放送波に重畳されて通信端末１０により取得されるＩＤであり、事前配布用ＩＤは管理装置５０から通信端末１０に送信されて通信端末１０により取得されるＩＤである。
【００３０】
＜動作＞
図６，７は、通信端末１０の処理を示すフローチャートである。通信端末１０の制御部１１は、ＲＯＭまたは記憶部１６に記憶されたプログラムを起動して図６，７に示した処理を実行する。前述したように、放送局２０は、コンテンツデータの出力タイミングよりも前に、取得用ＩＤを重畳した放送波を用いた放送を行う。この放送に応じてテレビ３０から取得用ＩＤが重畳された音声が放音されると、この音声を通信端末１０の音声入出力部１５のマイクが収音する（ステップＳ１０１）。通信端末１０の制御部１１は、収音した音声からＩＤ（取得用ＩＤまたは出力用ＩＤ）の抽出を実行する（ステップＳ１０２）。ここで、これらのＩＤは、テレビ３０のスピーカから放音される音声の周波数帯域のうち、高音域に属する周波数帯域に重畳される。一般に、テレビ放送に使用される音声信号の主要な周波数は１６ｋＨｚ程度までであるから、ＩＤは、この周波数以上の音声信号が主要でない周波数帯域であり且つテレビ３０のオーディオ回路やスピーカが動作する周波数帯域（例えば、１８〜２０ｋＨｚの周波数帯域）に重畳される。音声信号にＩＤのような情報を重畳する方式は種々の方式を採用可能であるが、例えば、本出願人による特許出願（国際公開第２０１０／０１６５８９号パンフレット）に詳細に説明されているような、ＩＤを拡散符号で拡散して、上記の周波数帯域（１８〜２０ｋＨｚの周波数帯域）まで周波数シフトして音声信号に重畳する技術など、どのようなものを用いてもよい。
【００３１】
通信端末１０の制御部１１は、音声からＩＤを抽出すると（ステップＳ１０２；ＹＥＳ）、そのＩＤに含まれる文字列（前述の「Ｄ」または「Ｓ」）を参照して、取得用ＩＤであるのか又は出力用ＩＤであるのかを判断する（ステップＳ１０３）。取得用ＩＤ（文字列が「Ｄ」）であれば（ステップＳ１０３；取得用ＩＤ）、制御部１１は、通信部１２からその取得用ＩＤを管理装置５０に送信する（ステップＳ１０４）。管理装置５０の制御部５１は、取得用ＩＤを受け取ると、記憶部５３に記憶されている管理テーブルを参照して、受け取った取得用ＩＤに対応する事前配布用ＩＤ及びアドレス情報を読み出す。そして、制御部５１は、所定の時刻と時刻の間の期間において例えばランダムに任意の時刻を特定するなどの所定のアルゴリズムに従って時刻情報を生成する。具体的には、制御部５１は、上記の取得用ＩＤを受信した時刻より後の時刻であって、上記の取得用ＩＤに対応するコンテンツデータに関連する番組等が実際に放送される時刻よりも前の時刻を指定する時刻情報を生成する。制御部５１は、これらのアドレス情報、時刻情報及び事前配布用ＩＤを、通信部５２から通信端末１０に送信する。
【００３２】
通信端末１０の通信部１２がこれらのアドレス情報、時刻情報及び事前配布用ＩＤを受信すると（ステップＳ１０５）、制御部１１はこれらのアドレス情報、時刻情報及び事前配布用ＩＤを互いに対応付けて記憶部１６に記憶させる（ステップＳ１０６）。
【００３３】
ここで一旦、図７の説明に移る。図７は、通信端末１０において図６の処理と同時並行して行われる処理を示している。制御部１１は、内蔵する時計により計時される現在時刻を参照し、記憶部１６に記憶している時刻情報によって表される時刻が到来したと判断すると（ステップＳ２０１；ＹＥＳ）、その時刻情報に対応するアドレス情報によって表されるＵＲＩ（コンテンツ配信装置６０）にアクセスしてコンテンツデータを取得する（ステップＳ２０２）。そして、制御部１１は、上記アドレス情報、上記時刻情報及びこれに対応する事前配布用ＩＤと対応付けて、コンテンツデータを記憶部１６に記憶させる（ステップＳ２０３）。
【００３４】
図６の説明に戻る。放送局２０は、通信端末１０が実際にコンテンツデータを出力するべきタイミングで、コンテンツデータの出力用ＩＤを放送波に重畳して放送する。この放送波はコンテンツデータに関連する番組を放送するための放送波であり、出力用ＩＤは、コンテンツデータを出力するのに適した或る時間幅で繰り返し放送波に重畳して放送される。例えばコンテンツデータが、番組等の出演者が着用している衣服に関するものである場合、その出演者が番組の映像に登場している期間は、そのコンテンツデータの出力を指示する出力用ＩＤが繰り返し放送波に重畳されることになる。
【００３５】
この放送波を受信したテレビ３０は、番組の映像を出力するとともに、出力用ＩＤが重畳された音声を放音する。この音声を、通信端末１０の音声入出力部１５のマイクが収音し（図６のステップＳ１０１）、通信端末１０の制御部１１は、前述と同じステップＳ１０２及びステップＳ１０３の処理を実行する。制御部１１は、収音した音声から抽出したＩＤが出力用ＩＤ（文字列が「Ｓ」）であると判断した場合（図６のステップＳ１０３；出力用ＩＤ）、この出力用ＩＤ内のコンテンツ識別部分とおなじものを含む事前配布用ＩＤに対応付けてコンテンツデータが記憶部１６に記憶されていれば（ステップＳ１０７；ＹＥＳ）、制御部１１は、コンテンツデータの出力が指示されたと判断して、そのコンテンツデータを出力する（ステップＳ１０８）。
【００３６】
一方、通信端末１０において、音声から抽出された出力用ＩＤ内のコンテンツ識別部分とおなじものを含む事前配布用ＩＤに対応付けてコンテンツデータが記憶部１６に記憶されていない場合がある。例えば、取得用ＩＤの送信時刻に通信端末１０がテレビ３０の近傍に居なかったために取得用ＩＤを取得できず、この結果、管理装置５０から送信されるアドレス情報及び時刻情報に基づいて、番組の放送以前に通信端末１０によってコンテンツデータが取得できていない場合である。このように出力用ＩＤのコンテンツ識別部分とおなじものを含む事前配布用ＩＤに対応付けてコンテンツデータが記憶されていない場合には（ステップＳ１０７；ＮＯ）、制御部１１は、通信部１２から、音声から抽出された出力用ＩＤを管理装置５０に送信する（ステップＳ１０９）。
【００３７】
管理装置５０の制御部５１は出力用ＩＤを受信すると、その出力用ＩＤに対応するコンテンツデータのアドレス情報を読み出す。そして、制御部５１は、既述のような或る時間幅のうちランダムに任意の時刻を特定して時刻情報を生成するというアルゴリズムに従うのではなく、その出力用ＩＤを受信したときの現在時刻を表す時刻情報を生成する。そして制御部５１は、アドレス情報及び時刻情報（管理装置５０が出力用ＩＤを受信したときの時刻を表す時刻情報）を通信端末１０に送信する。通信端末１０は、通信部１２がこれらのアドレス情報及び時刻情報を受信する（ステップＳ１１０）。
【００３８】
この場合、通信部１２がアドレス情報及び時刻情報を受信して記憶した時点で、通信端末１０が計時する現在時刻がその時刻情報によって表される時刻を経過していることになる。このため、図７において、通信端末１０の制御部１１は、現在時刻が時刻情報によって表される時刻を経過していると判断し（図７のステップＳ２０１；ＹＥＳ）、アドレス情報が表すＵＲＩ（コンテンツ配信装置６０）にアクセスしてコンテンツデータを取得する（ステップＳ２０２）。そして、制御部１１は、上記のアドレス情報及び時刻情報と対応付けてコンテンツデータを記憶部１６に記憶させる（ステップＳ２０３）。
【００３９】
図６の説明に戻ると、通信端末１０の制御部１１は、ステップＳ１１０の処理の後に、コンテンツデータを取得したか否かを判断する（ステップＳ１１１）。ここでは図７で説明したとおり、制御部１１は、コンテンツデータを取得しているから（ステップＳ１１１；ＹＥＳ）、そのコンテンツデータを出力する（ステップＳ１０８）。このようにして、ユーザは、通信端末１０において取得用ＩＤを事前に取得していなくても、その取得用ＩＤに対応したコンテンツデータを、番組等の放送に伴って閲覧することができる。
【００４０】
（変形例）
上記実施形態を次のように変形してもよい。
（変形例１）
実施形態では、管理装置５０が生成する時刻情報は、或る時間幅に渡って分散して設定された一つの時刻を表す情報であった。このような態様に代えて、管理装置５０が生成する時刻情報を、或る一定範囲の時間（つまりこの範囲に含まれる時刻全て）を表す情報とし、通信端末１０の制御部１１が上記時刻情報が表す時間の範囲内でコンテンツデータを取得する時刻を一つに特定し、特定した時刻にアドレス情報を用いてコンテンツデータを取得するようにしてもよい。つまり、管理装置５０が或る時間の範囲までを決め、通信端末１０がその時間の範囲内でコンテンツデータを取得する具体的な時刻を決めるという態様でもよい。
【００４１】
（変形例２）
実施形態では、テレビ３０の音声にＩＤを重畳させる例について説明したが、放音装置はテレビに限定されない。例えば、ラジオ受信機であってもよい。また、店舗等の施設に設置されたスピーカ装置であってもよい。更に、店舗等の商業施設に限らず、公共施設、民間施設、集合住宅、事務所施設等の各種施設に適用してもよい。
また、通信端末は、無線で通信を行う通信端末に限らず有線で通信を行う通信端末であってもよい。
更に、放送局による放送は、インターネットなどのネットワークを介した放送であってもよい。
【００４２】
（変形例３）
本発明は、コンピュータとして機能させるためのプログラムといった形態でも実施が可能である。かかるプログラムは、光ディスク等のコンピュータに読み取り可能な記録媒体に記録した形態で提供されたり、インターネット等のネットワークを介して、コンピュータにダウンロードさせ、これをインストールして利用可能にするなどの形態で提供されたりすることが可能である。また、このプログラムはＯＳ（Operating System）に組み込まれたプログラムであってもよいし、ＯＳとは独立してコンピュータにインストールされるプログラムであってもよい。
【００４３】
（変形例４）
図６のＳ１０６において通信端末１０が記憶した時刻情報を通信端末１０から出力してもよい。具体的には、制御部１１は、図６のＳ１０６において時刻情報を記憶すると、その時刻情報が表す時刻を表示部１４に画像として表示したり、音声入出力部１５から音声として放音する。このようにすればユーザはコンテンツをダウンロードする時刻を知ることができるので、例えばその時刻に通信端末１０が通信可能な状態にしておくための行為をとる（通信端末１０が無線通信端末なら無線通信エリアに居るようにする）など、ユーザへの利便性の向上を期待することができる。
【符号の説明】
【００４４】
１０  通信端末、２０  放送局、３０  テレビジョン放送受像機、４０  通信ネットワーク、５０  管理装置、６０  コンテンツ配信装置、１１  制御部、１２  通信部、１３  操作部、１４  表示部、１５  音声入出力部、１６  記憶部、５１  制御部、５２  通信部、５３  記憶部、１０１  収音手段、１０２  抽出手段、１０３  取得手段、１０４  コンテンツデータ取得手段、１０５  コンテンツデータ記憶手段、１０６  出力手段。
【図１】
2015111771.tif 000003
【図２】
2015111771.tif 000004
【図３】
2015111771.tif 000005
【図４】
2015111771.tif 000006
【図５】
2015111771.tif 000007
【図６】
2015111771.tif 000008
【図７】
2015111771.tif 000009